(57)【要約】【課題】非使用時に、ボールがチップ先端部の内壁面に密接するボールペンチップにおいて、ボールの略中心に、押圧力を付与することができるボールペンチップを提供することである。【解決手段】本発明は、コイルスプリングの棒軸部により前方に押圧し、ボールをチップ先端部の内壁に密接する弁機構を具備してなるボールペンチップにおいて、インキ流通孔が、第一インキ流通孔と、前記第一インキ流通孔よりも内径が小さい第二インキ流通孔とを連接してあり、インキ流通溝の後端部と前記第一インキ流通孔の接合部に、ボールペンチップの軸心側に肉盛り状に延びる肉盛り部を形成したことを特徴とする。【選択図】        図１
2010069778.tif 000002
【特許請求の範囲】
【請求項１】
チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持し、前記ボールをコイルスプリングの棒軸部により前方に押圧し、前記ボールをチップ先端部の内壁に密接する弁機構を具備してなるボールペンチップにおいて、前記インキ流通孔が、第一インキ流通孔と、前記第一インキ流通孔よりも内径が小さい第二インキ流通孔とを連接してあり、前記インキ流通溝の後端部と前記第一インキ流通孔の接合部に、ボールペンチップの軸心側に肉盛り状に延びる肉盛り部を形成したことを特徴とするボールペンチップ。
【請求項２】
前記第二インキ流通孔の後端部に、ボールペンチップの軸心側に肉盛り状に延びる第二の肉盛り部を形成したことを特徴とする請求項１に記載のボールペンチップ。
【請求項３】
前記第二の肉盛り部が、円周方向において前記肉盛り部の間隙に位置することを特徴とする請求項２に記載のボールペンチップ。
【発明の詳細な説明】
【技術分野】
【０００１】
本発明は、チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持し、前記ボールをコイルスプリングの棒軸部により前方に押圧し、前記ボールをチップ先端部の内壁に密接する弁機構を具備してなるボールペンチップに関する。
【背景技術】
【０００２】
ボールの後端に、コイルスプリングを配設し、このコイルスプリングの弾発力によって、ボールをチップ先端部の内壁面に密接させるとともに、筆記時の筆圧によってボールとチップ先端部の内壁とに隙間を形成する弁機構を具備したボールペンチップはよく知られて、特開２０００−１５８８６９号公報「ボールペンチップ」には、コイルスプリングの棒軸部が移動しても、棒軸部が、インキ流通溝を閉鎖しない構造が開示されている。
【０００３】
また、特開２０００−１０８５７４号公報「ボールペンチップ」には、径の異なる先端部と後端部とを有するインキ流通孔を形成することで、コイルスプリングの棒軸部が移動を規制し、ボールに棒軸部を当接しやすくする構造が開示されている。
【特許文献１】「特開２０００−１５８８６９号公報」
【特許文献２】「特開２０００−１０８５７４号公報」
【発明の開示】
【発明が解決しようとする課題】
【０００４】
しかし、特許文献１では、コイルスプリングの線径は、φ０．１ｍｍ〜φ０．３ｍｍと極めて小径であり、この棒軸部に複数の通溝を形成することは非常に困難である。また、中心孔の後端部に、棒軸部の外径よりも小さい通溝を形成することは、製造工程の増加となり、製造コストが高騰する問題があった。
【０００５】
また、特許文献２では、先端部の径の大きいインキ流通孔に、棒軸部が曲がって挿入されると、ボールの略中心に、押圧力を付与することができないという問題があった。
【０００６】
本発明は上記問題を鑑み、非使用時に、ボールがチップ先端部の内壁面に密接するボールペンチップにおいて、ボールの略中心に、押圧力を付与することができるボールペンチップを提供するものである。
【課題を解決するための手段】
【０００７】
前記目的を達成するために本発明では、チップ本体内に、インキ流通孔と、放射状に延びるインキ流通溝とを有し、ボール抱持室の底壁にボールを挿置し、チップ先端部を内側にかしめることにより、ボールの一部をチップ先端縁より突出させて回転自在に抱持し、前記ボールをコイルスプリングの棒軸部により前方に押圧し、前記ボールをチップ先端部の内壁に密接する弁機構を具備してなるボールペンチップにおいて、前記インキ流通孔が、第一インキ流通孔と、前記第一インキ流通孔よりも内径が小さい第二インキ流通孔とを連接してあり、前記インキ流通溝の後端部と前記第一インキ流通孔の接合部に、ボールペンチップの軸心側に肉盛り状に延びる肉盛り部を形成したことを特徴とする。
【０００８】
さらにまた、前記第二インキ流通孔の後端部に、ボールペンチップの軸心側に肉盛り状に延びる第二の肉盛り部を形成したことを特徴とする。
【０００９】
さらにまた、前記第二の肉盛り部が、円周方向において前記肉盛り部の間隙に位置することを特徴とする請求項３に記載のボールペンチップ。
【発明の効果】
【００１０】
本発明は、非使用時に、ボールがチップ先端部の内壁面に密接するボールペンチップにおいて、ボールの略中心に、押圧力を付与することができるボールペンチップを提供することができた。
【発明を実施するための最良の形態】
【００１１】
実施例１
以下、図面を参照して本発明の実施例を説明するが、本発明のボールペンチップは実施例に限定されるものではない。尚、図面中、同じ部材、同じ部品については同じ番号を付してある。
【００１２】
図１から図３に示すボールペンチップ１は、チップ本体２にインキ流通孔４、５と、放射状に延びたインキ流通溝８を有し、ボール抱持室３の底壁６に設けた筆記用ボールと略同形のボール座７に、ボール１０を載置し、チップ先端部２ａを内側にかしめことにより、ボール１０の一部がチップ先端部２ａより突出するように回転自在に抱持している。
【００１３】
インキ流通孔は、第一インキ流通孔４と、その後方に、第一インキ流通孔４の内径よりも小さい内径の第二インキ流通孔５を連接して形成してあり、インキ流通溝８とインキ流通孔４の接合部に、肉盛り状に延びる肉盛り部４ａを形成してある。また、第二インキ流通孔５の後端部にも、ボールペンチップの軸心Ｊ側に肉盛り状に延びる第二の肉盛り部５ａを形成してある。
【００１４】
ボール１０の後方には、棒軸部１１を有するコイルスプリングを配設し、非使用時には、ボール１０をコイルスプリングの押圧力によってチップ先端部２ａの内壁面に密接しているとともに、筆記時の筆圧によってボール１０とチップ先端部２ａの内壁とに隙間を形成して、インキを紙面等に流出する弁機構となっている。
【００１５】
尚、ボール径は、０．７ｍｍ、コイルスプリングの棒軸部１１の線径は、０．１５ｍｍであり、第一インキ流通孔径は、０．４５ｍｍ、第二インキ流通孔径は、０．３５ｍｍであった。
【００１６】
また、インキ収容筒（図示せず）からボール１０までのボールペン用インキの流れは、先ず、インキ収容筒から後部孔９、第二インキ流通孔５、インキ流通孔４と、コイルスプリング１１との隙間を通過してボール１０に達している。
【００１７】
コイルスプリングの棒軸部１１は、第二インキ流通孔５からインキ流通孔４に曲がって挿入されても、肉盛り部４ａによって、ボールペンチップの軸心Ｊ方向に移動規制され、ボール１０の略中心に、押圧力を付与することができる。
【００１８】
尚、肉盛り部４ａの形成方法は特に限定されるものではないが、インキ流通溝８とインキ流通孔４の接合部に形成するとにより、インキ流通溝８の形成時に発生する部分を肉盛り部４ａとすることで、インキ流通溝８の形成と同時に肉盛り部４ａを形成できるので、製造工程を増加することがないので好ましい。また、第二の肉盛り部５ａも同様に、後部孔９の方向から後方インキ流通溝５ｂを作成し、後方インキ流通溝５ｂの形成と同時に第二の肉盛り部ａを形成することが好ましい。
【００１９】
また、インキ流通溝８の後端部とインキ流通孔４の接合部に、肉盛り部４ａを形成することによって、コイルスプリングの棒軸部１１が肉盛り部４ａによって、ボールペンチップの軸心Ｊ方向に移動規制されるため、インキ流通溝８を閉鎖し難くすることができるの好ましい。
【００２０】
また、第二インキ流通孔５の後端部に、ボールペンチップの軸心Ｊ側に肉盛り状に延びる第二の肉盛り部５ａを形成することによって、第二インキ流通孔５の内径を小さくし過ぎることなく、コイルスプリングの棒軸部１１を移動規制できるので、インキ流量を確保し易くする効果を奏する。
【００２１】
また、コイルスプリングの棒軸部１１は、第二インキ流通孔５と、肉盛り部４ａの、軸方向の異なる２箇所で移動規制されるため、筆記時等によって、棒軸部が移動し難くすることができる。
【００２２】
また、第二の肉盛り部５ａは、円周方向において肉盛り部４ａの間隙に位置するように形成することで、コイルスプリングの棒軸部１１が、軸方向及び円周方向の異なる位置で、移動規制されるため好ましい。
【産業上の利用可能性】
【００２３】
本発明のボールペンチップは、水性、油性、剪断減粘性を付与したインキ等、インキの種類に限定されることなく、ボールペンとして広く利用できるものである。
【図面の簡単な説明】
【００２４】
【図１】実施例１におけるボールペンチップの一部省略した縦断面図である。
【図２】実施例１におけるコイルスプリングを省略した図である。
【図３】実施例１における第一及び第二インキ流通孔を形成した状態を示す図である。
【符号の説明】
【００２５】
１  ボールペンチップ
２  チップ本体
３  ボール抱持室
４  第一インキ流通孔
４ａ  肉盛り部
５  第二インキ流通孔
５ａ  第二の肉盛り部
６  底壁
７  ボール座
８  インキ流通溝
９  後部孔
１０  ボール
１１  棒軸部
【図１】
2010069778.tif 000003
【図２】
2010069778.tif 000004
【図３】
2010069778.tif 000005